(57)【要約】      （修正有）【課題】バンド部の装着部位における痒みや痛み、かぶれの発生を抑制できる生体情報検出装置を提供する。【解決手段】生体情報検出装置１００は、被検体の生体情報を検出する生体情報検出部９０と、バンド部１１、１２と、を含む。そして、バンド部は、バンド部の長辺方向に沿った断面において、バンド部の装着時に被検体側になる第１の面の形状がウェーブ形状である。【選択図】図２
2017029289.tif 000002
【特許請求の範囲】
【請求項１】
被検体の生体情報を検出する生体情報検出部と、
バンド部と、
を含み、
前記バンド部は、
前記バンド部の装着時に前記被検体側になる第１の面を有し、
前記バンド部の長辺方向に沿った断面において、前記第１の面側の輪郭線がウェーブ形状を有することを特徴とする生体情報検出装置。
【請求項２】
請求項１において、
前記バンド部は、
前記バンド部の短辺方向に沿った断面において、前記第１の面側の輪郭線が前記ウェーブ形状を有することを特徴とする生体情報検出装置。
【請求項３】
請求項２において、
前記バンド部は、
前記バンド部の前記長辺方向の第１のラインに沿った断面における前記第１の面側の第１のウェーブ形状と、
前記バンド部の前記長辺方向の第２のラインに沿った断面における前記第１の面側の第２のウェーブ形状と、
を有し、
前記第１のウェーブ形状の頂点部分と前記第２のウェーブ形状の頂点部分とが、前記バンド部の側面視において、ずれていることを特徴とする生体情報検出装置。
【請求項４】
請求項３において、
前記第２のウェーブ形状の第１の頂点部分は、
前記バンド部の前記側面視において、前記第１のウェーブ形状の第１の頂点部分と第２の頂点部分との間に位置していることを特徴とする生体情報検出装置。
【請求項５】
請求項２乃至４のいずれかにおいて、
前記バンド部の前記短辺方向に沿った断面における前記第１の面側の前記ウェーブ形状の波数が２以下であることを特徴とする生体情報検出装置。
【請求項６】
請求項１乃至５のいずれかにおいて、
前記バンド部は、
複数の嵌合穴を有する第１のバンド部と、
前記装着時に、前記複数の嵌合穴のうちのいずれか一つの嵌合穴と嵌合する係止部を有する第２のバンド部と、
を含み、
前記第１のバンド部は、
少なくとも前記複数の嵌合穴の形成領域において、前記ウェーブ形状を有することを特徴とする生体情報検出装置。
【請求項７】
請求項１乃至６のいずれかにおいて、
前記生体情報検出部を有するケース部を含み、
前記バンド部は、
バックル又は美錠部を有し、
前記バンド部は、
前記ケース部に接続され、前記バックル又は前記美錠部から前記ケース部との接続部位まで、前記ウェーブ形状が形成されていることを特徴とする生体情報検出装置。
【発明の詳細な説明】
【技術分野】
【０００１】
本発明は、生体情報検出装置等に関係する。
【背景技術】
【０００２】
近年、従来の活動計のみならず、例えばランニングウォッチ等の激しい動きをする際に用いられるスポーツ機器でも、生体情報をセンシングする必要が高まっている。そして、このような活動計やウォッチ（時計）等を、例えば被検体の腕などに固定するために用いるバンド部も発明されている。そのような従来技術としては、例えば特許文献１や特許文献２に記載される技術がある。
【先行技術文献】
【特許文献】
【０００３】
【特許文献１】特開２０１０−１１０６３４号公報
【特許文献２】特開平０７−２１３３１２号公報
【発明の概要】
【発明が解決しようとする課題】
【０００４】
前述したランニングウォッチ等の激しい動きをする際に用いられるスポーツ機器では、発汗によりバンド部を装着している部分が蒸れて、痒みや痛み、かぶれ等が発生する場合がある。そのため、バンド部の装着部位の通気性を上げて、蒸れにくくする必要がある。
【０００５】
バンド部の装着部位の通気性を上げる一般的な方法としては、バンド部に貫通する穴を多数空けることで、肌の一部をバンド部の間から露出させ、空気に触れさせる方法がある。この方法では、貫通穴とバンド部の裏面からなる稜線が肌にあたるため、強くバンド部を締め付けた場合、穴の形状が肌に痕として残ることがある。それだけでなく、この穴形状のラインに沿って痒みや痛みが発生することがあるため、穴を空けるだけでは上記問題の対策は不十分である。
【０００６】
また、穴を多数空けると外観にも影響を与え、品位を下げてしまうことがある。運動時に装着するスポーツウォッチでは問題はないが、例えば会議や商談などの社会活動の場や、普段の生活でも使用される活動量計のような機器では、外観も重要である。
【０００７】
これらの点に対して、特許文献１では、腕時計型の生体情報測定装置の装着感について言及した記載はない。また、特許文献２では、時計のバンド部の形状について種々の形態が開示されているが、ケース部が動かないようにしっかりと手首に固定すること、長時間装着し続けることなど、生体情報測定装置ならではの課題に対しては、言及されていない。
【０００８】
本発明の幾つかの態様によれば、バンド部の装着部位における痒みや痛み、かぶれの発生を抑制できる生体情報検出装置等を提供することができる。
【課題を解決するための手段】
【０００９】
本発明の一態様は、被検体の生体情報を検出する生体情報検出部と、バンド部と、を含み、前記バンド部は、前記バンド部の装着時に前記被検体側になる第１の面を有し、前記バンド部の長辺方向に沿った断面において、前記第１の面側の輪郭線がウェーブ形状を有する生体情報検出装置に関係する。
【００１０】
本発明の一態様では、バンド部の長辺方向に沿った断面において、第１の面側の輪郭線がウェーブ形状を有する。よって、バンド部の装着部位における痒みや痛み、かぶれの発生を抑制することが可能となる。
【００１１】
また、本発明の一態様では、前記バンド部は、前記バンド部の短辺方向に沿った断面において、前記第１の面側の輪郭線が前記ウェーブ形状を有していてもよい。
【００１２】
これにより、バンド部の装着部位とバンド部の間に、空気がより入りやすいようにして、通気性を向上すること等が可能になる。
【００１３】
また、本発明の一態様では、前記バンド部は、前記バンド部の前記長辺方向の第１のラインに沿った断面における前記第１の面側の第１のウェーブ形状と、前記バンド部の前記長辺方向の第２のラインに沿った断面における前記第１の面側の第２のウェーブ形状と、を有し、前記第１のウェーブ形状の頂点部分と前記第２のウェーブ形状の頂点部分とが、前記バンド部の側面視において、ずれていてもよい。
【００１４】
これにより、バンド部の第１の面を、複数のウェーブ形状の頂点がずれて折り重なった形状にすること等が可能になる。
【００１５】
また、本発明の一態様では、前記第２のウェーブ形状の第１の頂点部分は、前記バンド部の前記側面視において、前記第１のウェーブ形状の第１の頂点部分と第２の頂点部分との間に位置していてもよい。
【００１６】
これにより、バンド部の第１の面を、複数のウェーブ形状の頂点がずれて折り重なった形状にすること等が可能になる。
【００１７】
また、本発明の一態様では、前記バンド部の前記短辺方向に沿った断面における前記第１の面側の前記ウェーブ形状の波数が２以下であってもよい。
【００１８】
これにより、通気性をさらに向上させること等が可能になる。
【００１９】
また、本発明の一態様では、前記バンド部は、複数の嵌合穴を有する第１のバンド部と、前記装着時に、前記複数の嵌合穴のうちのいずれか一つの嵌合穴と嵌合する係止部を有する第２のバンド部と、を含み、前記第１のバンド部は、少なくとも前記複数の嵌合穴の形成領域において、前記ウェーブ形状を有していてもよい。
【００２０】
これにより、第１のバンド部のうち、被検体の肌に接触する部分の形状をウェーブ形状にすること等が可能になる。
【００２１】
また、本発明の一態様では、前記生体情報検出部を有するケース部を含み、前記バンド部は、バックル又は美錠部を有し、前記バンド部は、前記ケース部に接続され、前記バックル又は前記美錠部から前記ケース部との接続部位まで、前記ウェーブ形状が形成されていてもよい。
【００２２】
これにより、第２のバンド部のうち、被検体の肌に接触する部分の形状をウェーブ形状にすること等が可能になる。
【図面の簡単な説明】
【００２３】
【図１】本実施形態の生体情報検出装置の上面（表面）の斜視図。
【図２】本実施形態の生体情報検出装置の下面（裏面）の斜視図。
【図３】生体情報検出装置の装着状態の説明図。
【図４】バンド部の外観図（斜視図）
【図５】バンド部の六面図。
【図６】バンド部の断面図。
【図７】ウェーブ形状の説明図。
【図８】１つのバンドを有する生体情報検出装置の説明図。
【発明を実施するための形態】
【００２４】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００２５】
１．概要
ランニングウォッチ等のスポーツ機器では、発汗によりバンド部の装着部位が蒸れて、痒みや痛み、かぶれ等が発生する場合がある。また、活動量計測機能付のリスト機器や脈波測定機能付のリスト機器は、一般的に装着する時間が長く、睡眠時にも装着する場合がある。この場合、常にバンド部が肌に密着するため、バンド部と肌が接する部位では、痒みやかぶれの問題が起きやすい。さらに脈波測定機能付のリスト機器の場合には、脈波測定の精度を確保するために、通常の時計よりも強く手首に巻きつける必要があるため、肌への密着がより強くなり、痛み等が発生する場合がある。
【００２６】
そのため、まずは発汗が原因の蒸れを防ぐために、バンド部の装着部位の通気性を上げる必要がある。その一般的な方法としては、バンド部に貫通する穴を多数空けて、肌の一部をバンド部の間から露出させ、空気に触れさせる方法がある。この方法では、貫通穴とバンド部の裏面からなる稜線が肌に当たるため、強くバンド部を締め付けた場合には、穴の形状が肌に痕として残ることがある。それだけでなく、この穴形状のラインに沿って痒みや痛みが発生することもある。よって、穴を空けるだけでは、前述した装着時の痒みや痛み等の対策は不十分であると言える。
【００２７】
また、穴を多数空けると外観にも影響を与え、見た目の品位が下がる。そのため、ビジネスマナーを考慮した場合、例えば会議や商談などの社会活動の場では装着し辛いという新たな問題も生じる。特に、活動量計は長時間装着する必要がある場合も多いため、あらゆる場面に対応可能な外観であることが望ましい。
【００２８】
そこで、こうした問題を解決するために、本実施形態では、生体情報検出装置のバンド部において、手首に接触する面の形状を工夫する。具体的に本実施形態では、生体情報検出装置のバンド部の手首側の面を、連続する波形状にする。
【００２９】
これにより、バンド部と手首の設置面積を減少させ、バンド部と手首の間に空気が通り易くする。その結果、汗によるバンド部の蒸れや濡れを軽減できる。また、連続的に波形状が続くことにより、角ばった部位が肌に当たらないため、痛みや痒みの原因にもなりにくい。このように本実施形態によれば、バンド部の装着部位における痒みや痛み、かぶれの発生を抑制することができる。さらに、バンド部に対して、通気性確保のための貫通穴を空けないため、外観への影響もほとんどなく、あらゆる場面で装着することが可能になる。
【００３０】
２．生体情報検出装置の構成例
次に、本実施形態の生体情報検出装置１００の構成例を図１及び図２に示す。図１には、生体情報検出装置１００の上面（表面）の斜視図を示し、図２には、生体情報検出装置１００の下面（裏面）の斜視図を示す。また、図１及び図２の生体情報検出装置１００を被検体の手首２００に装着した様子を図３に示す。
【００３１】
本実施形態の生体情報検出装置１００は、第１のバンド部１１と、第２のバンド部１２と、ケース部３０と、表示部７０と、操作部８０と、生体情報検出部（センサー部）９０と、を含む。但し、生体情報検出装置１００は、図１及び図２の構成に限定されず、これらの一部の構成要素を省略したり、他の構成要素を追加したりするなどの種々の変形実施が可能である。
【００３２】
次に、生体情報検出装置１００の各部について説明する。第１のバンド部１１は、ケース部３０の一端に取り付けられ、複数の嵌合穴１６を有する。第２のバンド部１２は、ケース部３０の他端に取り付けられ、固定部（遊革、定革）１３と、美錠部（連結部）１４と、を有する。そして、バンド部１１（１２）は、バンド部１１（１２）の装着時に被検体側になる第１の面を有する。さらに本実施形態では、バンド部１１（１２）の長辺方向に沿った断面において、第１の面側の輪郭線がウェーブ形状を有する。
【００３３】
例えば、図４に第１のバンド部１１の外観図（斜視図）を示し、図５に第１のバンド部１１の六面図を示す。図４及び図５に示すように、第１のバンド部１１は、第１のバンド部１１の装着時に被検体側になる第１の面２１と、第１のバンド部１１の装着時に外側になる第２の面２２を有する。そして、後述する図６に示すように、第１のバンド部１１の長辺方向に沿った断面において、第１の面２１側の輪郭線がウェーブ形状を有し、第２の面２２側の輪郭線が平坦な形状を有する。第２のバンド部１２についても同様である。バンド部のさらに詳細な形状については、図６及び図７を用いて後述する。
【００３４】
バンド部１１（１２）において、装着者の肌に当たる部分に段差や尖った部分等があると、肌への強い刺激となり、痒みやかぶれの原因になってしまう。
【００３５】
これに対し、本実施形態のバンド部１１（１２）の第１の面２１の形状は、バンド部１１（１２）の長辺方向（長手方向）に沿って連続するウェーブ形状であり、段差や尖った部分等がない。また、後述するように、第１の面２１のウェーブ形状は、バンド部１１（１２）の長辺方向と直交する短辺方向にも連続している。
【００３６】
ここで、ウェーブ形状とは、例えば、バンド部１１（１２）の延伸方向（長辺方向）に沿った断面視、あるいはバンド部１１（１２）の延伸方向（長辺方向）と直交する側面視において、複数の１波形形状（１波）が連なって構成される形状である。そして、ウェーブ形状を構成する複数の波形形状のうちの各波形形状は、例えば、位相がα°からβ°までは（α＜β）、第１の面２１から第２の面２２への方向に向かうように変化し、位相がβ°からγ°までは（β＜γ）、第２の面２２から第１の面２１への方向に向かうように変化する形状である。一例として、α＝０°、β＝１８０°、γ＝３６０°などが考えられる。なお、複数の波形形状のうちの各波形形状は、それぞれ異なる波形形状であってもよい。また、複数の波形形状のうちの各波形形状を半波形状等とする変形実施も可能である。そして、ウェーブ形状は、バンド部１１（１２）と肌との接触部位と、非接触部位が周期的に、あるいは非周期的に繰り返す形状であってもよい。若しくは、ウェーブ形状は、バンド部１１（１２）の延伸方向（長辺方向）に沿った断面視において、バンド部１１（１２）の第２の面２２から第１の面２１までの距離が、周期的に、あるいは非周期的に、連続して変化する形状であってもよい。さらに、ウェーブ形状は、バンド部１１（１２）の第２の面２２から第１の面２１の距離が極大となる点と、極小となる点とが交互に配置された形状であってもよい。ウェーブ形状は、肌とバンド部１１（１２）の接触面積を減らす効果を持つ形状でありながら、肌への刺激が少ない形状である。そのため、痛みの原因にもなりにくく、使用後に肌に痕も残りにくい。皮下脂肪が多い人や女性、若い人など、肌の柔らかい人は、特に肌に痕が付きやすいため、痕が付きにくくなる効果が高い。
【００３７】
さらに、図３に示すように、ウェーブ形状の隙間から空気ＡＩＲが入り込むため、通気性も向上され、バンド部１１（１２）と、腕などの装着部位との間に汗が溜まることを防ぐことができる。
【００３８】
よって、本実施形態によれば、バンド部１１（１２）の装着部位における痒みや痛み、かぶれの発生を抑制することが可能となる。
【００３９】
また、前述したように、バンド部１１（１２）の外側の第２の面は、ウェーブ形状でなくてもよく、例えば平坦な形状にしてもよい。また、通気性確保のために、多数の貫通穴を開ける必要もない。そのため、外観の品位を損なうことがなく、あらゆる場面に適応可能な外観にすることも可能である。
【００４０】
その他の部分の説明に戻る。図１〜図３に示すように、固定部（遊革、定革）１３は、第１のバンド部１１及び第２のバンド部１２が連結された状態で、第１のバンド部１１を第２のバンド部１２に沿って固定する。
【００４１】
また、図１及び図２に示すように、美錠部（尾錠部、連結部）１４は、係止部１５を有し、第１のバンド部１１及び第２のバンド部１２を連結する。第２のバンド部１２は、美錠部１４の代わりに、バックルを有していても良い。
【００４２】
そして、係止部１５は、装着時に、複数の嵌合穴１６のうちのいずれか一つの嵌合穴と嵌合する。係止部１５は、例えば図１に示すように、金属棒やプラスチック棒により形成される。
【００４３】
また、複数の嵌合穴１６の各嵌合穴は、図１に示すように、第１のバンド部１１を厚み方向に貫通する穴であり、第１のバンド部１１に一定の間隔で設けられる。そして、生体情報検出装置１００の装着時には、複数の嵌合穴１６のいずれかの嵌合穴に係止部１５が挿入されることにより、第２のバンド部１２を第１のバンド部１１に係止することができる。さらに、複数の嵌合穴１６のうち、係止部１５を挿入する嵌合穴を選択することにより、被検体の装着部位を締め付けるバンドの長さを調節可能である。ただし、係止部１５は、図１に示すような一本の棒であるとは限らない。例えば、係止部１５が複数の棒を有しており、生体情報検出装置１００の装着時に、その複数の棒をそれぞれ、複数の嵌合穴の別々の嵌合穴に挿入して、第２のバンド部１２を第１のバンド部１１に係止するものであってもよい。また、係止部１５は、第１のバンド部１１を挟み込んで（又は噛んで）係止するハサミ部などであってもよい。
【００４４】
そして、ケース部３０には、被検体の生体情報を検出する生体情報検出部（センサー部）９０が設けられる。
【００４５】
生体情報検出部９０は、不図示の発光部と、不図示の受光部と、検出窓とを有しており、被検体に押し当てられた状態で、被検体の生体情報を検出する。具体的には、発光部から射出された光が、検出窓を介して、被検体に照射され、被検体から反射された光が、再度、検出窓を介して受光部に入射する。そして、生体情報検出部９０は、受光部が受光した反射光に基づいて、被検体の生体情報を検出する。ここで、検出窓は、発光部から射出される光と被検体から反射される反射光とを透過させる透明部材又は半透明部材により形成される。より具体的には、例えば検出窓は、透明のプラスチック等により形成される。そして、検出窓は、装着時において、発光部及び受光部と、被検体とを物理的に隔てる役割をする。また、受光部は、例えばフォトダイオード等の受光素子により実現でき、発光部は、例えばＬＥＤ等の発光素子により実現できる。
【００４６】
さらに、表示部７０は、各種情報を表示する。表示部７０の機能は、例えば液晶ディスプレイや有機ＥＬディスプレイ、電子ペーパーなどにより実現できる。
【００４７】
そして、操作部８０は、ユーザーによる操作を受け付ける。操作部８０は、例えばボタンやスイッチ、タッチパネルなどにより実現できる。
【００４８】
３．バンド部の形状の詳細な説明
次に、バンド部の形状について、図６及び図７を用いて詳細に説明する。図６には第１のバンド部１１の各方向における断面図を示す。また、以下では、第１のバンド部１１の形状について説明するが、第２のバンド部１２についても同様の形状が適用可能である。
【００４９】
図６に示すように、バンド部１１は、バンド部１１の長辺方向ＬＤＲに沿った断面（例えばＡ―Ａ’断面）において、第１の面２１側の輪郭線がウェーブ形状を有する。
【００５０】
ここで、長辺方向とは、ケース部３０と接続されるバンド部１１の一端から他端へ向かう方向、又はその逆方向である。図６の例では、方向ＬＤＲが長辺方向である。
【００５１】
また、断面における輪郭線（稜線）とは、断面を側面視した場合に、断面の輪郭（外枠、外周部）をなぞる線のことである。なお、その断面よりも後方に位置する形状の輪郭は、その断面の輪郭線ではない。一例として図６では、バンド部１１の長辺方向ＬＤＲに沿ったＡ―Ａ’断面を図示している。そして、バンド部１１の断面における第１の面２１側の輪郭線は、太線ＯＬで示す線のことであり、この輪郭線ＯＬがウェーブ形状になっている。
【００５２】
また、図６に示すように、バンド部１１は、バンド部１１の短辺方向ＳＤＲに沿った断面（例えばＤ―Ｄ’、断面Ｅ―Ｅ’断面）において、第１の面２１側の輪郭線がウェーブ形状を有する。
【００５３】
ここで、短辺方向とは、前述した長辺方向と直交（交差）する方向、又はその逆方向である。図６の例では、方向ＳＤＲが短辺方向である。
【００５４】
例えば、図６には、短辺方向ＳＤＲに沿ったＤ―Ｄ’断面と、短辺方向ＳＤＲに沿ったＥ―Ｅ’断面とを図示している。Ｄ―Ｄ’断面における第１の面２１側の輪郭線は、太線で示すＳＳＣ１であり、この輪郭線ＳＳＣ１もウェーブ形状を有している。同様にして、Ｅ―Ｅ’断面における第１の面２１側の輪郭線は、太線で示すＳＳＣ２であり、この輪郭線ＳＳＣ２もウェーブ形状を有している。
【００５５】
このように、バンド部１１の第１の面２１は、バンド部１１の長辺方向ＬＤＲだけでなく、バンド部１１の短辺方向ＳＤＲもウェーブ形状になっている。そのため、後述するように、バンド部１１の第１の面２１を、複数のウェーブ形状の頂点がずれて折り重なった形状にすることができる。その結果、バンド部１１の装着部位とバンド部１１の間に、空気がより入りやすいようにして、通気性を向上すること等が可能になる。
【００５６】
なお、本実施形態において、嵌合穴は輪郭線の頂点を含むように構成することができる。一例として、バンド部１１の第２の面２２側、つまり肌から遠い方の頂点（極値点）に嵌合穴を設けることができる。このように構成することで、通気性をさらに向上することが可能になる。
【００５７】
次に、複数のウェーブ形状の頂点がずれて折り重なった形状について、図７を用いて具体的に説明する。図７には、図６に示すバンド部１１のＡ―Ａ’断面と、Ｂ―Ｂ’断面と、Ｃ―Ｃ’断面とを模式的に図示している。
【００５８】
本実施形態のバンド部１１は、バンド部１１の長辺方向の第１のラインに沿った断面における第１の面２１側の第１のウェーブ形状と、バンド部１１の長辺方向の第２のラインに沿った断面における第１の面２１側の第２のウェーブ形状と、を有している。そして、第１のウェーブ形状の頂点部分と第２のウェーブ形状の頂点部分とが、バンド部１１の側面視において、ずれている。
【００５９】
つまり、図７の例において具体的に、長辺方向ＬＤＲの第１のラインをラインＢ−Ｂ’とし、長辺方向ＬＤＲの第２のラインをラインＡ−Ａ’とした場合には、第１のラインＢ−Ｂ’に沿った断面における第１の面２１側の輪郭線ＯＬ１が、第１のウェーブ形状を有する。同様に、第２のラインＡ−Ａ’に沿った断面における第１の面２１側の輪郭線ＯＬ２が、第２のウェーブ形状を有する。この時、バンド部１１では、第１のウェーブ形状の頂点部分（ＰＢ１及びＰＢ２）と、第２のウェーブ形状の頂点部分ＰＡ１とが、バンド部１１の側面視においてずれて位置している。同様に、Ｂ―Ｂ’断面の頂点部分とＣ―Ｃ’断面の頂点部分もずれて位置している。
【００６０】
また、第２のウェーブ形状の第１の頂点部分ＰＡ２が、バンド部１１の側面視において、第１のウェーブ形状の第１の頂点部分ＰＢ１と第２の頂点部分ＰＢ２との間に位置していると言い替えることもできる。
【００６１】
ここで、頂点部分とは、ウェーブ形状において、上りから下りに切り替わる頂点を含む所与の範囲のことをいう。
【００６２】
これにより、バンド部１１の第１の面２１を、複数のウェーブ形状の頂点がずれて折り重なった形状にすること等が可能になる。
【００６３】
また、ウェーブ形状の波数や、波長、振幅等を最適化することで、通気性をさらに向上させることができる。
【００６４】
例えば、バンド部１１の短辺方向に沿った断面における第１の面側のウェーブ形状の波数は、２以下であることが望ましい。
【００６５】
ウェーブ形状は、前述したように、例えば、ある非周期的な波形Ｗが周期的に繰り返されて形成される。この場合、ウェーブ形状の波数とは、ウェーブ形状に含まれる波形Ｗの数である。具体的に、バンド部１１の短辺方向に沿った断面における第１の面２１側のウェーブ形状の波数は、１であることがより好ましい。例えば、前述した図６では、Ｄ−Ｄ’断面又はＥ−Ｅ’断面における第１の面２１側のウェーブ形状の波数が１になっている。この場合には、ウェーブ形状自体が非周期的な波形であると言える。
【００６６】
また、ウェーブ形状の波長とは、ウェーブ形状における頂点部分と頂点部分の間の、長辺方向又は短辺方向の距離のことである。例えば、ウェーブ形状の波長は、図７のＢ−Ｂ’断面の例では、頂点部分ＰＢ１から頂点部分ＰＢ２までの長辺方向ＬＤＲの距離のことである。
【００６７】
また、ウェーブ形状の振幅とは、ウェーブ形状の頂点部分と底部分の間の、バンド部１１の厚み方向の距離のことである。例えば、ウェーブ形状の振幅は、図７のＢ−Ｂ’断面の例では、頂点部分ＰＢ１と底部分ＮＢ１の間の厚み方向ＴＤＲの距離のことである。
【００６８】
これにより、通気性をさらに向上させること等が可能になる。
【００６９】
また、前述した図５に示すように、第１のバンド部１１は、少なくとも複数の嵌合穴１６の形成領域１７において、ウェーブ形状を有していてもよい。
【００７０】
ここで、複数の嵌合穴１６の形成領域１７とは、複数の嵌合穴１６のうち、第１のバンド部１１の一端に最も近い嵌合穴の位置から、複数の嵌合穴１６のうち、第１のバンド部１１の他端に最も近い嵌合穴の位置までの領域のことである。第１のバンド部１１では、この複数の嵌合穴１６の形成領域１７が、被検体の肌と最も接触しやすい。
【００７１】
これにより、第１のバンド部１１のうち、被検体の肌に接触する部分の形状をウェーブ形状にすること等が可能になる。
【００７２】
また、前述した図１及び図２に示すように、第２のバンド部１２では、美錠部（又はバックル）１４からケース部３０との接続部位まで、ウェーブ形状が形成されていてもよい。
【００７３】
これにより、第２のバンド部１２のうち、被検体の肌に接触する部分の形状をウェーブ形状にすること等が可能になる。
【００７４】
以上のように、本実施形態によれば、特別な材料や部品を追加することなく、バンド部の形状を変更するだけで、装着時の痒みや痛み、かぶれ等の抑制効果を得ることができる。
【００７５】
その他にも、本実施形態ではバンド部に対して以下のような処理を施し、各種効果を増強することも可能である。
【００７６】
例えば、バンド部の材質を放熱性の高い材料（例えばシリコーン等）にすれば、発汗による蒸れや濡れの軽減効果をより高めることができる。また、バンド部の材質を肌への刺激が小さい材料（例えばシリコーン等）にすることにより、痒みやかぶれを低減できる。
【００７７】
さらに、バンド部の表面に摩擦抵抗値を下げる材料（例えばフッ素材等）を塗布することにより、バンド部表面のべたつきを減らし、痒み・かぶれを低減できる。
【００７８】
そして、バンド部のウェーブ形状の表面にシボ加工を施すことで、バンド部の表面に微小な凸凹を作ってもよい。ここで、シボ加工とは、表面処理の一つで、物理的にシワ模様（微細な凹凸）をつけることである。これにより、空気の接触をより増やすことができ、蒸れ・濡れを軽減すること等が可能になる。
【００７９】
若しくは、バンド部のウェーブ形状の表面に微小なウェーブを施してもよい。例えば、フラクタル形状にしてもよい。これにより、蒸れ・濡れをさらに軽減することができる。
【００８０】
また、バンド部だけでなく、ケース部の裏側（手首側）にもウェーブ形状を施すことで効果を増すことが期待できる。
【００８１】
また、ここまでに説明してきた本実施形態は、図１に示すような第１のバンド部１１と第２のバンド部１２を有する生体情報検出装置１００だけでなく、図８に示すような、一本のバンド部１０だけを有する生体情報検出装置１００にも適用可能である。図８に示す生体情報検出装置１００は、バンド部１０の裏面にケース部３０が設けられている。
【００８２】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報検出装置の構成、動作も本実施形態で説明したものに限定されず、種々の変形実施が可能である。
【符号の説明】
【００８３】
１０…バンド部、１１…第１のバンド部、１２…第２のバンド部、１５…係止部、
１６…複数の嵌合穴、１７…形成領域、２１…第１の面、２２…第２の面、
３０…ケース部、７０…表示部、８０…操作部、９０…生体情報検出部、
１００…生体情報検出装置、２００…手首
【図１】
2017029289.tif 000003
【図２】
2017029289.tif 000004
【図３】
2017029289.tif 000005
【図４】
2017029289.tif 000006
【図５】
2017029289.tif 000007
【図６】
2017029289.tif 000008
【図７】
2017029289.tif 000009
【図８】
2017029289.tif 000010